(57)【要約】      （修正有）【課題】配管用固定金具を取り付けるための穴あけや溶接等の工事を不用とし、施工時間の短縮及び安全性の向上を図れるようした配管用固定金具を提供する。【解決手段】仮設配管路の縦配管路を建物の外廊下や外階段に設けた手摺壁Ｂ１や手摺に固定する配管用固定金具１であって、手摺壁Ｂ１の上端部又は手摺の一部が挿入される下向きの凹部及び縦配管路を形成する配管部材が挿通される開口部１０ｂを備えた金具本体１０と、金具本体１０に先端部側へ移動自在に設けられ、金具本体１０の凹部に挿入された手摺壁Ｂ１の上端部又は手摺の一部を金具本体１０の先端部側の凹部内面とで挟持固定する移動体１１と、金具本体１０の基端部に移動体１１側へ移動調整自在に設けられ、移動体１１側への移動調整時に金具本体１０の開口部１０ｂに挿通された配管部材の一部を移動体１１とで挟持固定する締め付け具１２と、を備えている。【選択図】図１３
2020063796.tif 000002
【特許請求の範囲】
【請求項１】
数階建ての建物（Ｂ）内に敷設されている給水配管路の更新工事や補修工事を行う際に、建物（Ｂ）の外側に設けられる仮設配管路（Ｌ）の縦配管路（Ｌ２）を建物（Ｂ）の外廊下や外階段に設けた手摺壁（Ｂ１）や手摺（Ｂ２）に固定する配管用固定金具（１）であって、前記手摺壁（Ｂ１）の上端部又は手摺（Ｂ２）の一部が挿入される下向きの凹部（１０ａ）及び前記縦配管路（Ｌ２）を形成する縦向きの配管部材が挿通される開口部（１０ｂ）を備えた金具本体（１０）と、前記金具本体（１０）に金具本体（１０）の凹部（１０ａ）及び開口部（１０ｂ）に臨む状態で且つ金具本体（１０）の先端部側へ移動自在に設けられ、金具本体（１０）の先端部側への移動時に金具本体（１０）の凹部（１０ａ）に挿入された手摺壁（Ｂ１）の上端部又は手摺（Ｂ２）の一部を金具本体（１０）の先端部側の凹部（１０ａ）内面とで挟持固定する移動体（１１）と、前記金具本体（１０）の基端部に移動体（１１）側へ移動調整自在に設けられ、移動体１１側への移動調整時に金具本体（１０）の開口部（１０ｂ）に挿通された配管部材の一部を移動体（１１）とで挟持固定する締め付け具（１２）と、を備えていることを特徴とする配管用固定金具。
【請求項２】
前記移動体（１１）は、金具本体（１０）の開口部（１０ｂ）に挿通された配管部材の一部を締め付け具（１２）とで挟持固定し得る保持部（１０ａ）を備えており、前記保持部（１０ａ）の配管部材に当接する面を、配管部材の外周面に面接触状態で当接し得る平面形状が半円状若しくは円弧状の円弧面に形成したことを特徴とする請求項１に記載の配管用固定金具。
【請求項３】
前記移動体（１１）は、金具本体（１０）の凹部（１０ａ）に挿入された手摺壁（Ｂ１）の上端部又は手摺（Ｂ２）の一部を押圧し得る押圧部（１１ｂ）を備えており、前記押圧部（１１ｂ）の先端面に手摺（Ｂ２）の一部が入り込む窪み部（１１ｃ）を形成したことを特徴とする請求項１又は２に記載の配管用固定金具。
【請求項４】
前記金具本体（１０）の開口部（１０ｂ）に臨む一部分を水平回動可能に構成し、金具本体（１０）の開口部（１０ｂ）を開閉可能とすると共に、金具本体（１０）の開口部（１０ｂ）の開放された幅を配管部材の直径よりも大きめに形成したことを特徴とする請求項１に記載の配管用固定金具。
【請求項５】
前記締め付け具（１２）は、金具本体（１０）の基端部に金具本体（１０）の先端部側へ進退移動自在に螺挿された締め付けボルト（１０ａ）と、締め付けボルト（１０ａ）の先端部に設けられ、金具本体（１０）の開口部（１０ｂ）に挿通された配管部材を移動体（１１）側へ押圧し得る第２押圧部（１２ｂ）を備えており、前記第２押圧部（１２ｂ）の配管部材に当接し得る面を、配管部材の外周面に面接触状態で当接し得る平面形状が半円状若しくは円弧状の円弧面に形成したことを特徴とする請求項１に記載の配管用固定金具。
【発明の詳細な説明】
【技術分野】
【０００１】
本発明は、マンション等の集合住宅、学校、病院、ビル等の数階建ての建物内に敷設されている給水配管路（上水道管路）の更新工事や補修工事を行う際に用いられる仮設配管路に使用されるものであり、特に、仮設配管路を形成する縦配管路を数階建ての建物の外廊下や外階段等に設けた手摺壁や手摺に固定するための配管用固定金具に関するものである。
【背景技術】
【０００２】
一般に、マンション等の集合住宅、学校、病院、ビル等の数階建ての建物内に敷設されている給水配管路は、これを長年使用していると、亜鉛メッキ鋼管等の給水管内に発生した錆等が原因となって赤水の流出、管内のぬめり、バクテリアの発生、流量及び水圧の低下、スケールの発生、スケールの流出等が生じ、水質の悪化や衛生面の問題が生じるうえ、パッキンの劣化による漏水事故等の様々な悪影響が生じて来る。
【０００３】
そのため、集合住宅等の数階建ての建物においては、上述した問題が発生すると、給水配管路の更新工事や補修工事を行っている。このとき、建物内に敷設されている給水配管路の更新工事や補修工事においては、居住民の生活があるため、長期間、長時間の断水による管路更新や補修は許されない。
【０００４】
このように、従来の給水配管路の更新工事や補修工事においては、長期間、長時間の断水による管路更新や補修が許されないため、所謂仮設配管路を設ける工法が採用されている（例えば、特許文献１及び特許文献２参照）。
【０００５】
前記仮設配管路には、鋼管等の金属管に代えて軽量で取扱性に優れたビニル管やポリエチレン管等が広く使用されている。特に、ビニル管を用いて仮設配管路を敷設する場合には、ビニル管同士の接続に接着剤を使用し、永久的な結合を行っている。
【０００６】
しかし、ビニル管を用いた場合、ビニル管同士の接合に時間が掛かるだけでなく、接合完了から水道水の供給開始までに相当の時間を要するという問題があった。
【０００７】
また、仮設配管路の撤去には、永久的な結合を行っているために配管を切断しなければならず、時間と労費を費やすうえ、配管の再利用が出来ないために撤去後に仮設配管路の形成部材を全てスクラップ処分する必要があり、省資源や環境保全を図る上で多くの問題を抱えている。
【０００８】
一方、本件出願人は、上述した問題を解決する仮設配管路を開発し、特開２００３−０９７７６６号公報（特許文献３）、特開２００４−１００７７４号公報（特許文献４）及び特開２０１２−１２２２０９号公報（特許文献５）として公開している。
【０００９】
即ち、前記各仮設配管路は、図示していないが、ポリエチレン樹脂材により形成した直管、エルボ、チーズ、異径管、伸縮管等の管本体の両端部又はポリエチレン樹脂製の複数の管本体を接続して形成した仮設配管ユニットの両端部に、それぞれポリエチレン樹脂製の筒状接続部を突合せ融着により接続し、管本体同士又は仮設配管ユニット同士若しくは管本体と仮設配管ユニットの筒状接続部を対向せしめると共に、対向せしめた筒状接続部の先端部外周面に形成した環状の鍔部に環状のパッキンを被せ、前記環状の鍔部及び環状のパッキンを二つ割り状のハウジング形の管継手で抱き込んで締め付け固定し、管本体同士又は仮設配管ユニット同士若しくは管本体と仮設配管ユニットを環状のパッキン及びハウジング形の管継手で気密状に接続することにより形成されている。
【００１０】
このように、前記仮設配管路は、管本体同士又は仮設配管ユニット同士若しくは管本体と仮設配管ユニットを環状のパッキン及びハウジング形の管継手で気密状に接続することにより形成されるため、仮設配管路を簡単に形成することができて工期の短縮を図れると共に、管継手及び環状のパッキンを外すだけで管本体や仮設配管ユニットを簡単に分離することができ、また、仮設配管路の分解時に管本体や仮設配管ユニット、管継手が損傷することが殆どなく、再利用できると言う利点がある。
【００１１】
上述した仮設配管路を用いた給水配管路の更新工事や補修工事においては、仮設配管路の設置スペースが無い場合、仮設配管路を形成する縦配管路を更新工事や補修工事の期間中だけ数階建ての建物の外側に設置している。即ち、仮設配管路の縦配管路は、例えば、建物の外廊下や外階段等に設けた手摺壁や手摺の外側位置に所定の間隔を空けて並列状に複数配設されており、前記各縦配管路と建物内の各住戸のメーターボックス内に収納した水道メーター（又はメーターユニット）とをそれぞれ給水ホース等の給水管で接続するようにしている。
【００１２】
また、前記各縦配管路は、建物の屋上から最下部のフロアに亘って設けられており、各縦配管路の上端部が給水用のタンクやポンプに接続されている既設の水道管に接続され、水道管から水道水が流入するようになっている。
【００１３】
更に、前記各縦配管路は、建物の外廊下や外階段等に設けた手摺壁や手摺の外側位置に設置する際に、建物の屋上側から階下へ向って管本体や仮設配管ユニットを環状のパッキン及びハウジング形の管継手を用いて順次接続するようにしている。何故なら、集合住宅等の数階建ての建物においては、屋上から給水するタイプが多いため、各縦配管路を建物の屋上から階下へ向って施工するようにしている。
【００１４】
ところが、縦配管路を施工する際に、建物の屋上側から階下へ向って管本体や仮設配管ユニット（以下、管本体や仮設配管ユニットを配管部材と呼ぶ）をハウジング形の管継手により順次接続するようにしていると、配管部材が自重により抜け落ちて人身事故につながったり、或いは、建物や落下した配管部材が損傷・破損したりすることがあった。
【００１５】
そこで、縦配管路を施工する際には、縦配管路を形成する配管部材（管本体や仮設配管ユニット）の落下事故を防止するため、配管部材の一部を建物の各階で外側廊下や外側階段に設けた手摺壁や手摺に固定することが行われている。
【００１６】
縦配管路の配管部材の一部を手摺壁や手摺に固定する場合、図１６（Ａ）〜（Ｃ）に示すように、様々な構造の配管用固定金具１００を用いて配管部材を建物側へ固定するようにしている（例えば、特許文献６〜８参照）。
【００１７】
しかしながら、図１６（Ａ）〜（Ｃ）に示す従来の配管用固定金具１００は、何れも配管用固定金具１００自体を建物の壁面にアンカーボルトやネジ等により打ち込むタイプであるため、給水配管路の更新工事や補修工事が終了して仮設配管路及び配管用固定金具１００を取り除いた際に、建物の壁面に穴が開いてしまうので、補修工事が必要になり、作業者への負担が増加すると共に、施工時間が長くなると言う問題がある。
【００１８】
また、金属製の配管用固定金具１００を建物にある手摺等の金属製部材に溶接により固定することも行われているが、この場合には、溶接機や電源が必要になると言う問題がある。
【００１９】
更に、集合住宅等の建物では、施工後の現状復旧が必要であり、配管部材を建物の手摺壁や手摺に固定する際に、施主側の要求によって建物の壁面にアンカーボルトやネジ等を打ち込めないことがある。
【００２０】
この場合には、建物の手摺等にロープやワイヤロープ等を用いて配管本体をくくりつけたり、或いは、建物の手摺壁や手摺に木材部材を取り付け、この木製部材に配管用固定金具をネジ等により取り付けるようにしている。
【００２１】
しかし、この場合には、個人差により配管部材を建物の手摺壁や手摺に完全に固定できない場合があり、安全性にかけると共に、配管部材の固定作業に時間がかかると言う問題がある。
【先行技術文献】
【特許文献】
【００２２】
【特許文献１】特開平１０−３０６４７２号公報
【特許文献２】特開平１１−１０７３３５号公報
【特許文献３】特開２００３−０９７７６６号公報
【特許文献４】特開２００４−１００７７４号公報
【特許文献５】特開２０１２−１２２２０９号公報
【特許文献６】特開平１１−２４１７８９号公報
【特許文献７】特開２００１−１０８１４９号公報
【特許文献８】特開２０１５-０３４６０８号公報
【発明の概要】
【発明が解決しようとする課題】
【００２３】
本発明は、このような問題点に鑑みて為されたものであり、その目的は、配管用固定金具を取り付けるための穴あけや溶接等の工事を不用とし、縦配管路を形成する配管部材を建物の手摺壁や手摺に固定する作業負担が少なくなって施工時間の短縮及び安全性の向上を図れると共に、建物への修復作業や復旧作業も無くなって工期の短縮を図れるようにした配管用固定金具を提供することにある。
【課題を解決するための手段】
【００２４】
上記目的を達成するために、本発明の請求項１に記載の配管用固定金具は、数階建ての建物内に敷設されている給水配管路の更新工事や補修工事を行う際に、建物の外側に設けられる仮設配管路の縦配管路を建物の外廊下や外階段に設けた手摺壁や手摺に固定する配管用固定金具であって、前記手摺壁の上端部又は手摺の一部が挿入される下向きの凹部及び前記縦配管路を形成する縦向きの配管部材が挿通される開口部を備えた金具本体と、前記金具本体に金具本体の凹部及び開口部に臨む状態で且つ金具本体の先端部側へ移動自在に設けられ、金具本体の先端部側への移動時に金具本体の凹部に挿入された手摺壁の上端部又は手摺の一部を金具本体の先端部側の凹部内面とで挟持固定する移動体と、前記金具本体の基端部に移動体側へ移動調整自在に設けられ、移動体側への移動調整時に金具本体の開口部に挿通された配管部材の一部を移動体とで挟持固定する締め付け具と、を備えていることに特徴がある。
【００２５】
本発明の請求項２に記載の配管用固定金具は、請求項１に記載の配管用固定金具において、前記移動体は、金具本体の開口部に挿通された配管部材の一部を締め付け具とで挟持固定し得る保持部を備えており、前記保持部の配管部材に当接する面を、配管部材の外周面に面接触状態で当接し得る平面形状が半円状若しくは円弧状の円弧面に形成したことに特徴がある。
【００２６】
本発明の請求項３に記載の配管用固定金具は、請求項１又は２に記載の配管用固定金具において、前記移動体は、金具本体の凹部に挿入された手摺壁の上端部又は手摺の一部を押圧し得る押圧部を備えており、前記押圧部の先端面に手摺の一部が入り込む窪み部を形成したことに特徴がある。
【００２７】
本発明の請求項４に記載の配管用固定金具は、請求項１に記載の配管用固定金具において、前記金具本体の開口部に臨む一部分を水平回動可能に構成し、金具本体の開口部を開閉可能とすると共に、金具本体の開口部の開放された幅を配管部材の直径よりも大きめに形成したことに特徴がある。
【００２８】
本発明の請求項５に記載の配管用固定金具は、請求項１に記載の配管用固定金具において、前記締め付け具は、金具本体の基端部に金具本体の先端部側へ進退移動自在に螺挿された締め付けボルトと、締め付けボルトの先端部に設けられ、金具本体の開口部に挿通された配管部材を移動体側へ押圧し得る第２押圧部を備えており、前記第２押圧部の配管部材に当接し得る面を、配管部材の外周面に面接触状態で当接し得る平面形状が半円状若しくは円弧状の円弧面に形成したことに特徴がある。
【発明の効果】
【００２９】
本発明の配管用固定金具は、建物の外廊下や外階段に設けた手摺壁の上端部又は手摺の一部が挿入される下向きの凹部及び建物の外側に設置された縦配管路の配管部材が挿通される開口部を備えた金具本体と、金具本体に金具本体の先端部側へ移動自在に設けられ、金具本体の先端部側への移動時に金具本体の凹部に挿入された手摺壁の上端部又は手摺の一部を金具本体の先端部側の凹部内面とで挟持固定する移動体と、金具本体の基端部に移動体側へ移動調整自在に設けられ、移動体側への移動調整時に金具本体の開口部に挿通された配管部材の一部を移動体とで挟持固定する締め付け具と、を備え、金具本体と移動体との間で手摺壁の上端部又は手摺の一部を挟持固定すると共に、移動体と締め付け具との間で配管部材を挟持固定し、縦配管路の配管部材を手摺壁や手摺に固定するようにしている。
その結果、本発明の配管用固定金具は、穴あけや溶接等の工事が不要になり、縦配管路の配管部材を手摺壁や手摺に固定する作業負担が軽くなって施工時間の短縮及び安全性の向上を図れると共に、建物への修復作業や復旧作業も無くなって工期の短縮を図れることになる。
【００３０】
また、本発明の配管用固定金具は、締め付け具を移動体側へ移動調整すると、移動体と締め付け具とで金具本体の開口部に挿通された配管部材を挟持固定すると共に、この状態で移動体が金具本体の先端部側へ移動して移動体と金具本体とで金具本体の凹部に挿入された手摺壁の上端部又は手摺の一部を挟持固定することになり、締め付け具を操作するだけで手摺壁の上端部又は手摺の一部と配管部材とをほぼ同時に挟持固定することができ、手摺壁や手摺への配管部材の固定をより迅速に行うことができ、施工時間をより短縮することができる。
【００３１】
更に、本発明の配管用固定金具は、移動体が配管部材を保持する保持部を備え、また、締め付け具が配管部材を押圧する第２押圧部を備え、保持部の配管部材に当接する面及び第２押圧部の配管部材に当接する面を平面形状が半円状若しくは円弧状の円弧面に形成しているため、配管部材の一部を面接触状態で挟持固定することができ、配管部材を安定した姿勢で強固に挟持固定することができる。
【００３２】
更に、本発明の配管用固定金具は、移動体が手摺壁の上端部又は手摺の一部を押圧する押圧部を備え、押圧部の先端面に手摺の一部が入り込む窪み部を形成しているため、金具本体の凹部に挿入した手摺の一部がパイプ部材であっても、押圧部の窪み部に手摺のパイプ部材を挿入することにより金具本体と押圧部の窪み部とで手摺のパイプ部材を確実且つ良好に挟持固定することができる。
【００３３】
更に、本発明の配管用固定金具は、金具本体の開口部に臨む一部分を水平回動可能に構成し、金具本体の開口部を開閉可能とすると共に、金具本体の開口部の開放された幅を配管部材の直径よりも大きめに形成しているため、金具本体の一部分を水平回動させて開口部を開放することにより配管部材の金具本体の開口部への挿入を簡単且つ容易に行える。
【図面の簡単な説明】
【００３４】
【図１】本発明の実施形態に係る配管用固定金具を用いて仮設配管路をマンション等の集合住宅の建物に設けた一例を示す配管割図である。
【図２】仮設配管路の縦配管路を配管用固定金具により建物の手摺壁に固定した状態を示す建物の要部の概略縦断面図である。
【図３】縦配管路を形成する仮設配管ユニットの正面図である。
【図４】本発明の実施形態に係る配管用固定金具の正面図である。
【図５】同じく配管用固定金具の平面図である。
【図６】同じく配管用固定金具の底面図である。
【図７】同じく配管用固定金具の左側面図である。
【図８】同じく配管用固定金具の右側面図である。
【図９】同じく配管用固定金具の縦断正面図である。
【図１０】図４のＡ−Ａ線断面図である。
【図１１】同じく配管用固定金具の開口部を開放した状態の平面図である。
【図１２】配管用固定金具を用いて縦配管路を形成する配管部材を手摺壁の上端部に固定した状態の一部切欠き正面図である。
【図１３】配管用固定金具を用いて縦配管路を形成する配管部材を手摺壁の上端部に固定した状態の平面図である。
【図１４】配管用固定金具を用いて縦配管路を形成する配管部材を手摺の一部（パイプ部分）に固定した状態を示し、（Ａ）はその一部切欠き正面図、（Ｂ）はその平面図である。
【図１５】本発明の他の実施形態に係る配管用固定金具の正面図である。
【図１６】従来の配管用固定金具の斜視図である。
【発明を実施するための形態】
【００３５】
以下、本発明の実施形態を図面に基づいて詳細に説明する。
図１は本発明の実施形態に係る配管用固定金具１を用いて仮設配管路Ｌをマンション等の集合住宅に設置した一例を示す配管割図であり、前記仮設配管路Ｌは、集合住宅等の数階建ての建物Ｂ内に敷設されている既設の給水配管路（上水道管路）の更新工事や補修工事を行う際に、建物Ｂの外側に設置して長時間断水することなく給水配管路の更新工事や補修工事を行えるようにしたものであり、給水用のタンクやポンプ（何れも図示省略）に接続されている既設の水道管（図示省略）に接続されて建物Ｂの屋上に配設された仮設の屋上配管路Ｌ１と、仮設の屋上配管路Ｌ１に接続されて建物Ｂの屋上から最下部のフロア（Ｆ１）まで並列状に配設された複数の仮設の縦配管路Ｌ２と、を備えている。
【００３６】
前記仮設の屋上配管路Ｌ１は、直管２、チーズ３（同径チーズ又は異径チーズ）、ハウジング形の管継手４、ボールバルブ等の止水栓（図示省略）、エルボ（図示省略）、フレキシブル継手（図示省略）等を備えており、前記各部材２，３をハウジング形の管継手４で順次接続することにより形成されている。この仮設の屋上配管路Ｌ１は、最も上流側に位置する部材がＶＳ継手（図示省略）等を介して給水用のタンク又はポンプ（何れも図示省略）に接続されている既設の水道管（図示省略）に接続されており、既設の水道管から水道水が流入するようになっている。
【００３７】
一方、前記複数の仮設の縦配管路Ｌ２は、仮設配管ユニット５、直管２、エルボ６、止水栓７（ボールバルブ）、ハウジング形の管継手４、エンドキャップ８等をそれぞれ備えており、前記各部材２，５，６，７，８をハウジング形の管継手４で直列状に接続することにより形成されている。これらの各縦配管路Ｌ２は、何れも建物Ｂに設けた外廊下の外側位置に並列状に配設されており、配管用固定金具１により外廊下の手摺壁Ｂ１に固定されている（図２参照）。
【００３８】
また、仮設の縦配管路Ｌ２に用いる仮設配管ユニット５は、図３に示す如く、合成樹脂製の直線状の管本体５ａと、管本体５ａの一端部に突合せ融着Ｗにより接続された合成樹脂製のチーズ５ｂと、チーズ５ｂの管本体５ａに接続された反対側の端部に突合せ融着Ｗにより接続された合成樹脂製の筒状の受け口５ｃと、管本体５ａの他端部に突合せ融着Ｗにより接続され、他の仮設配管ユニット５の受け口５ｃに気密状態で着脱自在に挿着される合成樹脂製の筒状の挿し口５ｄと、チーズ５ｂのＴ型の突出部に突合せ融着Ｗにより接続された合成樹脂製の筒状の分岐口５ｅと、分岐口５ｅの先端部に設けた継手５ｆと、を備えており、前記受け口５ｃに他の仮設配管ユニット５の挿し口５ｄが、また、前記挿し口５ｄに更に他の仮設配管ユニット５の受け口５ｃがそれぞれ気密状態で着脱自在に挿着されて直列状に接続される構成となっている。
【００３９】
尚、仮設配管ユニット５の受け口５ｃ及び挿し口５ｄには、他の仮設配管ユニット５の他に、単体部材である直管２、チーズ３、エルボ６、止水栓７、エンドキャップ８、フレキシブル継手（図示省略）等がハウジング形の管継手４を介して着脱自在に接続される構成となっている。前記単体部材の各端部には、仮設配管ユニット５と同様に筒状の受け口５ｃや筒状の挿し口５ｄがそれぞれ設けられている。
【００４０】
また、仮設配管ユニット５は、その長さ（高さ）が建物Ｂの階高に合わせた長さに設定されており、各仮設配管ユニット５を縦向きに接続して建物Ｂの外廊下や外階段の外側位置に配設したときに、仮設配管ユニット５が建物Ｂの各階に一つずつ確実に配置され、仮設配管ユニット５の分岐口５ｅ及び継手５ｆの位置が必ず各階の床面と直ぐ上の床面との間に位置するようにしている。
【００４１】
そして、建物Ｂの外廊下に設けた手摺壁Ｂ１の外側位置に配設された仮設配管路Ｌの縦配管路Ｌ２は、建物Ｂの各住戸のメーターボックスＳ内に収納した水道メーターＭ（又はメーターユニット）にそれぞれ給水管９（又は給水ホース）により接続されており、縦配管路Ｌ２内を流れる水道水を給水管９により各住戸へ供給するようになっている（図２参照）。
【００４２】
尚、上記の実施形態においては、仮設の縦配管路Ｌ２の一部に図３に示すような仮設配管ユニット５を使用したが、他の実施形態においては、仮設配管ユニット５を省略し、複数の直管２やチーズ３等をハウジング形の管継手４により直列状に接続して仮設の縦配管路Ｌ２を形成するようにしても良い。
【００４３】
図３〜図１３は本発明の実施形態に係る配管用固定金具１を示し、当該配管用固定金具１は、集合住宅等の建物Ｂの外廊下や外階段に設けた手摺壁Ｂ１の上端部（又は手摺Ｂ２の一部）が挿入される下向きの凹部１０ａ及び縦配管路Ｌ２を形成する仮設配管ユニット５や直管２等の縦向きの配管部材が挿通される開口部１０ｂを備えた金具本体１０と、金具本体１０に金具本体１０の凹部１０ａ及び開口部１０ｂに臨む状態で且つ金具本体１０の先端部側へ移動自在に設けられ、金具本体１０の先端部側への移動時に金具本体１０の凹部１０ａに挿入された手摺壁Ｂ１の上端部（又は手摺Ｂ２の一部）を金具本体１０の先端部側の凹部１０ａ内面とで挟持固定する移動体１１と、金具本体１０の基端部に移動体１１側へ移動調整自在に設けられ、移動体１１側への移動調整時に金具本体１０の開口部１０ｂに挿通された配管部材の一部を移動体１１とで挟持固定する締め付け具１２と、を備えている。
【００４４】
具体的には、前記金具本体１０は、図４〜図１１に示す如く、断面形状がＬ字形の金属材や断面形状が矩形状の金属材等を平面視において四角枠状で且つ正面視において略倒立コ字状に組み立てることにより形成されており、手摺壁Ｂ１の上端部（又は手摺Ｂ２の一部）が挿入される下向きの凹部１０ａと、縦配管路Ｌ２を形成する縦向きの配管部材（仮設配管ユニット５や直管２等）が挿通される開口部１０ｂとを備えている。
【００４５】
即ち、前記金具本体１０は、図４〜図１１に示す如く、一定の間隔を空けて対向状に配設され、手摺壁Ｂ１の上端部上面に対向する一対の上部水平部１０ｃと、一対の上部水平部１０ｃの先端部にそれぞれ下向きに連設され、手摺壁Ｂ１の上端部内側面に対向する一対の先端側垂直部１０ｄと、一対の上部水平部１０ｃの基端部にそれぞれ下向きに連設され、手摺壁Ｂ１の上端部外側面に対向する一対の基端側垂直部１０ｅと、一対の先端側垂直部１０ｄの下端部同士を連結する先端側水平部１０ｆと、一対の基端側垂直部１０ｅの下端部にそれぞれ外向きに連設された一対の基端側水平部１０ｇと、一対の基端側水平部１０ｇの端部にそれぞれ連設された一対の横Ｔ字形の支持片１０ｈと、両端部に一対の支持片１０ｈに抜き差し自在に嵌合される水平姿勢の切り込み溝が形成され、一対の支持片１０ｈ同士を連結する連結部１０ｉと、を備えており、一対の上部水平部１０ｃと一対の先端側垂直部１０ｄと一対の基端側垂直部１０ｅとで囲まれた空間が下向きの凹部１０ａになっていると共に、一対の上部水平部１０ｃと一対の先端側垂直部１０ｄと一対の基端側垂直部１０ｅと先端側水平部１０ｆと一対の基端側水平部１０ｇと連結部１０ｉとで囲まれた空間が開口部１０ｂとなっている。
【００４６】
また、前記金具本体１０は、図１１に示す如く、開口部１０ｂに臨む一部分（連結部１０ｉ）が水平回動可能に構成されており、金具本体１０の一部分（連結部１０ｉ）を水平回動させることにより金具本体１０の開口部１０ｂを開閉可能とすると共に、開口部１０ｂの開放された幅（一対の支持片１０ｈ間の間隔）を配管部材の直径よりも大きめに形成している。
【００４７】
この実施形態においては、金具本体１０の連結部１０ｉが水平回動自在に構成されており、連結部１０ｉの一端部に形成した水平な切り込み溝を一方の支持片１０ｈに挿入し、連結部１０ｉの一端部と一方の支持片１０ｈに支持軸１０ｊを挿着することにより連結部１０ｉが水平回動自在となっている。
【００４８】
この連結部１０ｉの他端部は、他方の支持片１０ｈに着脱自在に連結されており、連結部１０ｉの他端部に形成した水平な切り込み溝を他方の支持片１０ｈに挿入し、連結部１０ｉの他端部と他方の支持片１０ｈに抜き差し自在なロックピン１０ｋを挿通することにより他方の支持片１０ｈに連結され、また、ロックピン１０ｋを引き抜くことにより他方の支持片１０ｈとの連結が解除されるようになっている。前記ロックピン１０ｋの上端部には、ロックピン１０ｋの抜き差しを容易に行えるように取っ手用リング１０ｌが取り付けられている。
【００４９】
更に、前記金具本体１０には、移動体１１を金具本体１０の先端部側（先端側水平部１０ｆ）へ移動自在に支持するためのガイド穴１０ｍが金具本体１０の長手方向に沿って形成されている。このガイド穴１０ｍは、金具本体１０の一対の基端側垂直部１０ｄの下端部から一対の基端側水平部１０ｇの端部に亘って形成されており、一対の上部水平部１０ｃに対して平行状態になっている。
【００５０】
前記移動体１１は、図４〜図６、図９及び図１０に示す如く、金具本体１０の開口部１０ｂに挿通された配管部材（仮設配管ユニット５や直管２等）を締め付け具１２とで挟持し得る保持部１１ａと、保持部１１ａの先端部に設けられ、金具本体１０の凹部１０ａに挿入された手摺壁Ｂ１の上端部（又は手摺Ｂ２の一部）を押圧し得る押圧部１１ｂとを備えている。
【００５１】
前記保持部１１ａは、帯板状の金属板を平面形状Ｕ字状に折り曲げることにより形成されており、配管部材を挟持する部分が配管部材の外周面に面接触状態で当接し得る平面形状が半円状（又は円弧状）の円弧面に形成されている。
【００５２】
また、前記押圧部１１ｂは、金属材によりブロック状に形成されており、保持部１１ａの先端面に鉛直回転自在に支持されている。この押圧部１１ｂの先端面には、手摺Ｂ２の一部であるパイプ部材が入り込むＶ字状の窪み部１１ｃが形成されている。
【００５３】
そして、前記移動体１１は、保持部１１ａの両端部外側面にそれぞれ突設した一対のガイド軸１１ｄを金具本体１０に形成した一対のガイド穴１０ｍにそれぞれ移動自在に挿通し、一対のガイド軸１１ｄの端部に抜け止め用ナット１１ｅを螺着することにより金具本体１０に移動自在に設けられている。このとき、移動体１１は、金具本体１０の凹部１０ａ及び開口部１０ｂに臨む状態で且つ金具本体１０の先端部側（先端側水平部１０ｆ側）へ移動自在に設けられており、保持部１１ａが金具本体１０の連結部１０ｉに対向し、また、押圧部１１ｂが金具本体１０の先端部側の凹部１０ａ内面（先端側水平部１０ｆ内面）に対向するようになっている。
【００５４】
前記締め付け具１２は、図４〜図６及び図９に示す如く、金具本体１０の連結部１０ｉに外方から内方へ向って水平姿勢で螺挿され、移動体１１側へ移動調整自在な締め付けボルト１２ａと、締め付けボルト１２ａの先端部に設けられ、金具本体１０の開口部１０ｂに挿通された配管部材（仮設配管ユニット５や直管２等）を移動体１１側へ押圧し得る第２押圧部１２ｂと、締め付けボルト１２ａに螺着され、締め付けボルト１２ａを緩み止めする緩み止めナット１２ｃとを備えている。
【００５５】
また、締め付け具１２の第２押圧部１２ｂは、金属材により平面形状円弧状に形成されており、締め付けボルト１２ａの先端部に鉛直回転自在に設けられている。この第２押圧部１２ｂの先端面は、配管部材の外周面に面接触状態で当接し得る平面形状円弧状（又は半円状）の円弧面に形成されている。
【００５６】
尚、上記の実施形態においては、移動体１１の押圧部１１ｂ及び締め付け具１２の第２押圧部１２ｂを金属材により形成したが、他の実施形態においては、移動体１１の押圧部１１ｂ及び締め付け具１２の第２押圧部１２ｂを硬質の合成樹脂材や合成ゴム材により形成しても良い。この場合には、手摺壁Ｂ１の上端部や手摺Ｂ２の一部、配管部材に傷が付き難くなる。
【００５７】
而して、上述した配管用固定金具１によれば、金具本体１０の下向きの凹部１０ａに手摺壁Ｂ１の上端部を挿入すると共に、金具本体１０の開口部１０ｂに配管部材（仮設配管ユニット５）を挿通し、この状態で締め付け具１２を配管部材側へ締め付け操作すると、移動体１１の保持部１１ａと締め付け具１２の第２押圧部１２ｂとで金具本体１０の開口部１０ｂに挿通された配管部材の一部を挟持固定すると共に、この状態で移動体１１が金具本体１０の先端部側（先端側水平部１０ｆ側）へ移動して移動体１１の押圧部１１ｂと金具本体１０の先端部側の凹部１０ａ内面（先端側垂直部１０ｄ内面及び先端側水平部１０ｆ内面）とで金具本体１０の凹部１０ａに挿入された手摺壁Ｂ１の上端部を挟持固定することになる。その結果、配管部材は、配管用固定金具１により手摺壁Ｂ１に鉛直姿勢で固定されることになる。
【００５８】
前記配管用固定金具１は、金具本体１０の先端部と移動体１１の押圧部１１ｂとの間で手摺壁Ｂ１の上端部を挟持固定すると共に、移動体１１の保持部１１ａと締め付け具１２の第２押圧部１２ｂとの間で配管部材を挟持固定し、配管部材を手摺壁Ｂ１に固定するようにしているため、穴あけや溶接等の工事が不要になり、縦配管路Ｌ２の配管部材を手摺壁Ｂ１に固定する作業負担が軽くなって施工時間の短縮及び安全性の向上を図れると共に、建物Ｂへの修復作業や復旧作業も無くなって工期の短縮を図れることになる。
【００５９】
また、配管用固定金具１は、締め付け具１２を移動体１１側へ移動調整することによって、移動体１１と締め付け具１２とで配管部材を挟持固定することができると共に、移動体１１と金具本体１０とで手摺壁Ｂ１の上端部を挟持固定することができるため、締め付け具１２を操作するだけで手摺壁Ｂ１の上端部と配管部材とをほぼ同時に挟持固定することができ、手摺壁Ｂ１への配管部材の固定をより迅速に行うことができ、施工時間をより短縮することができる。
【００６０】
更に、配管用固定金具１は、移動体１１の保持部１１ａを平面形状が半円状の円弧面に形成し、また、締め付け具１２の第２押圧部１２ｂの先端面を平面形状が円弧状の円弧面に形成しているため、配管部材の一部を面接触状態で挟持固定することができ、配管部材を安定した姿勢で強固に挟持固定することができる。
【００６１】
更に、配管用固定金具１は、金具本体１０の連結部１０ｉを水平回動可能に構成し、金具本体１０の開口部１０ｂを開閉可能とすると共に、金具本体１０の開口部１０ｂの開放された幅を配管部材の直径よりも大きめに形成しているため、金具本体１０の一部分（連結部１０ｉ）を水平回動させて開口部１０ｂを開放することにより配管部材の開口部１０ｂへの挿入を簡単且つ容易に行える。
【００６２】
図１４は上述した配管用固定金具１を用いて縦配管路Ｌ２の配管部材（仮設配管ユニット５）を建物Ｂの外廊下等に設けた手摺Ｂ２の一部（パイプ部分）に固定した状態を示すものであり、移動体１１に設けた押圧部１１ｂを９０°鉛直回転させ、押圧部１１ｂのＶ字状の窪み部１１ｃ内に手摺Ｂ２のパイプ部分を挿入するようにしている。
【００６３】
前記配管用固定金具１は、移動体１１が手摺壁Ｂ１の上端部又は手摺Ｂ２の一部を押圧する押圧部１１ｂを備え、押圧部１１ｂの先端面に手摺Ｂ２の一部が入り込む窪み部１１ｃを形成しているため、金具本体１０の凹部１０ａに挿入した手摺Ｂ２の一部がパイプ部材であっても、押圧部１１ｂの窪み部１１ｃに手摺Ｂ２のパイプ部材を挿入することにより金具本体１０と押圧部１１ｂの窪み部１１ｃとで手摺Ｂ２のパイプ部材を確実且つ良好に挟持固定することができる。
【００６４】
図１５は配管用固定金具１の他の実施形態を示すものであり、金具本体１０の凹部１０ａ内面（上部水平部１０ｃ内面、先端側垂直部１０ｄ内面及び先端側水平部１０ｆ内面）にゴム部材等からなるクッション材１３を貼り付けたものであり、手摺壁Ｂ１の上端部や手摺Ｂ２の一部分を挟持固定したときに手摺壁Ｂ１や手摺Ｂ２に傷が付かないようにしたものである。
【００６５】
尚、上記の実施形態においては、金具本体１０は、平面視において四角枠状で且つ正面視において略倒立コ字状に形成されているが、金具本体１０の形状及び構造は、手摺壁Ｂ１の上端部又は手摺Ｂ２の一部が挿入される下向きの凹部１０ａ及び縦配管路Ｌ２を形成する縦向きの配管部材が挿通される開口部１０ｂを備えておれば、如何なる形状及び構造であっても良い。
【００６６】
また、上記の実施形態においては、移動体１１の保持部１１ａを平面形状Ｕ字状に形成すると共に、移動体１１の押圧部１１ｂをブロック状に形成したが、移動体１１の形状及び構造は、上記の実施形態に係るものに限定されるものではなく、移動体１１の配管部材を挟持し得る平面形状が半円状若しくは円弧状の円弧面を備えていると共に、押圧部１１ｂの先端面に手摺Ｂ２の一部が入り込む窪み部１１ｃを備えておれば、如何なる形状及び構造のものであっても良い。
【００６７】
更に、上記の実施形態においては、締め付け具１２の第２押圧部１２ｂを平面形状円弧状に形成したが、第２押圧部１２ｂの形状及び構造は、上記の実施形態に係るものに限定されるものではなく、締め付け具１２の第２押圧部１２ｂは、配管部材の外周面に面接触状態で当接し得る平面形状が半円状若しくは円弧状の円弧面を備えておれば、如何なる形状及び構造のものであっても良い。
【産業上の利用可能性】
【００６８】
本発明は、建物Ｂ内に敷設した上水道管の更新工事に用いるようにしたが、これに限らず、建物Ｂ内に敷設したガス管や排水管等の更新工事や補修工事等にも利用できるものである。
【符号の説明】
【００６９】
１は配管用固定金具
Ｂは建物
Ｂ１は手摺壁
Ｂ２は手摺
Ｌは仮設配管路
Ｌ２は縦配管路
１０は金具本体
１０ａは凹部
１０ｂは開口部
１１は移動体
１１ａは保持部
１１ｂは押圧部
１１ｃは窪み部
１２は締め付け具
１２ａは締め付けボルト
１２ｂは第２押圧部
【図１】
2020063796.tif 000003
【図２】
2020063796.tif 000004
【図３】
2020063796.tif 000005
【図４】
2020063796.tif 000006
【図５】
2020063796.tif 000007
【図６】
2020063796.tif 000008
【図７】
2020063796.tif 000009
【図８】
2020063796.tif 000010
【図９】
2020063796.tif 000011
【図１０】
2020063796.tif 000012
【図１１】
2020063796.tif 000013
【図１２】
2020063796.tif 000014
【図１３】
2020063796.tif 000015
【図１４】
2020063796.tif 000016
【図１５】
2020063796.tif 000017
【図１６】
2020063796.tif 000018